【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
光センサーにてＲＧＢ光源を用いたプロジェクションディスプレイの映像の光量を測定する光量測定部と、
前記光センサーにより測定される領域に対応する入力画像の領域で、ＲＧＢ信号が均一な分布を示すかどうかを判定する均一分布判定部と、
前記均一分布判定部にてＲＧＢ信号が均一な分布を示すと判定されたときに、前記光センサーにて測定された光量とそのときの入力画像の該当領域のＲＧＢ信号値とを保存するメモリと、
初期調整時のＲＧＢ光量を保存する初期調整値記憶部と、
前記メモリに保存された光量とＲＧＢ信号値との関係から算出したＲＧＢ各々の光量と、前記初期調整値記憶部に記憶されている初期調整時のＲＧＢ光量とを比較して劣化率を算出する劣化率演算部と、
前記ＲＧＢ光源のうち最も進んだ劣化率を示す光源色の出力に揃えるように他の光源色の出力を制御する光源制御部と、
を備えたことを特徴とするプロジェクションディスプレイ。
【請求項２】
請求項１記載のプロジェクションディスプレイにおいて、
前記光量測定部は、前記プロジェクションディスプレイが黒の映像を表示しているときに前記光センサーにて光量を測定し、外光量として前記メモリに保存し、
前記劣化率演算部は、前記外光量を測定された光量から差し引いた値を実光量とし、当該実光量とＲＧＢ信号値との関係から算出したＲＧＢ各々の光量と、前記初期調整値記憶部に記憶されている初期調整時のＲＧＢ光量とを比較して劣化率を算出することを特徴とするプロジェクションディスプレイ。
【請求項３】
光センサーにてＲＧＢ光源を用いたプロジェクションディスプレイからスクリーンに投影される映像の光量を測定する光量測定部と、
予めスクリーンの各画素位置から前記光センサーへの光の到達寄与度を保存する寄与度記憶部と、
入力画像の画素ごとのＲＧＢ信号について前記寄与度記憶部の画素ごとの寄与度を用いて平均ＲＧＢ信号値を算出する平均信号算出部と、
前記入力画像が投影されたスクリーンに対して、前記光センサーにて測定された光量とそのときの前記平均ＲＧＢ信号値とを保存するメモリと、
初期調整時のＲＧＢ光量を保存する初期調整値記憶部と、
前記メモリに保存された光量と平均ＲＧＢ信号値との関係から算出したＲＧＢ各々の光量と、前記初期調整値記憶部に記憶されている初期調整時のＲＧＢ光量とを比較して劣化率を算出する劣化率演算部と、
前記ＲＧＢ光源のうち最も進んだ劣化率を示す光源色の出力に揃えるように他の光源色の出力を制御する光源制御部と、
を備えたことを特徴とするプロジェクションディスプレイ。
【請求項４】
請求項３記載のプロジェクションディスプレイにおいて、
前記光量測定部は、前記プロジェクションディスプレイが黒の映像を表示しているときに前記光センサーにて光量を測定し、外光量として前記メモリに保存し、
前記劣化率演算部は、前記外光量を測定された光量から差し引いた値を実光量とし、当該実光量と平均ＲＧＢ信号値との関係から算出したＲＧＢ各々の光量と、前記初期調整値記憶部に記憶されている初期調整時のＲＧＢ光量とを比較して劣化率を算出することを特徴とするプロジェクションディスプレイ。
【請求項５】
請求項２または４記載のプロジェクションディスプレイにおいて、
電源投入時または映像切替え時に黒の映像を投影し、前記光センサーにて前記外光量を測定することを特徴とするプロジェクションディスプレイ。
【請求項６】
請求項２または４記載のプロジェクションディスプレイにおいて、
前記外光量に基づいて前記プロジェクションディスプレイ周辺の明るさを推定し、前記光源制御部に対して周辺の明暗に合わせた補正量を指令する明暗補正量算出部をさらに備えたことを特徴とするプロジェクションディスプレイ。
【請求項７】
請求項１乃至６のいずれかに記載のプロジェクションディスプレイにおいて、
前記劣化率演算部は、前記ＲＧＢ光源それぞれの光源制御量を考慮した劣化率を算出することを特徴とするプロジェクションディスプレイ。
【手続補正２】
【補正対象書類名】明細書
【補正対象項目名】０００５
【補正方法】変更
【補正の内容】
【０００５】
本発明の一の特徴にかかるプロジェクションディスプレイは、光センサーにてＲＧＢ光源を用いたプロジェクションディスプレイの映像の光量を測定する光量測定部と、前記光センサーにより測定される領域に対応する入力画像の領域で、ＲＧＢ信号が均一な分布を示すかどうかを判定する均一分布判定部と、前記均一分布判定部にてＲＧＢ信号が均一な分布を示すと判定されたときに、前記光センサーにて測定された光量とそのときの入力画像の該当領域のＲＧＢ信号値とを保存するメモリと、初期調整時のＲＧＢ光量を保存する初期調整値記憶部と、前記メモリに保存された光量とＲＧＢ信号値との関係から算出したＲＧＢ各々の光量と、前記初期調整値記憶部に記憶されている初期調整時のＲＧＢ光量とを比較して劣化率を算出する劣化率演算部と、前記ＲＧＢ光源のうち最も進んだ劣化率を示す光源色の出力に揃えるように他の光源色の出力を制御する光源制御部と、を備えたことを特徴とするものである。
【手続補正３】
【補正対象書類名】明細書
【補正対象項目名】０００６
【補正方法】変更
【補正の内容】
【０００６】
一の特徴において、前記光量測定部は、前記プロジェクションディスプレイが黒の映像を表示しているときに前記光センサーにて光量を測定し、外光量として前記メモリに保存し、前記劣化率演算部は、前記外光量を測定された光量から差し引いた値を実光量とし、当該実光量とＲＧＢ信号値との関係から算出したＲＧＢ各々の光量と、前記初期調整値記憶部に記憶されている初期調整時のＲＧＢ光量とを比較して劣化率を算出してもよい。
【手続補正４】
【補正対象書類名】明細書
【補正対象項目名】０００７
【補正方法】変更
【補正の内容】
【０００７】
本発明の別の特徴にかかるプロジェクションディスプレイは、光センサーにてＲＧＢ光源を用いたプロジェクションディスプレイからスクリーンに投影される映像の光量を測定する光量測定部と、予めスクリーンの各画素位置から前記光センサーへの光の到達寄与度を保存する寄与度記憶部と、入力画像の画素ごとのＲＧＢ信号について前記寄与度記憶部の画素ごとの寄与度を用いて平均ＲＧＢ信号値を算出する平均信号算出部と、前記入力画像が投影されたスクリーンに対して、前記光センサーにて測定された光量とそのときの前記平均ＲＧＢ信号値とを保存するメモリと、初期調整時のＲＧＢ光量を保存する初期調整値記憶部と、前記メモリに保存された光量と平均ＲＧＢ信号値との関係から算出したＲＧＢ各々の光量と、前記初期調整値記憶部に記憶されている初期調整時のＲＧＢ光量とを比較して劣化率を算出する劣化率演算部と、前記ＲＧＢ光源のうち最も進んだ劣化率を示す光源色の出力に揃えるように他の光源色の出力を制御する光源制御部と、を備えたことを特徴とするものである。
【手続補正５】
【補正対象書類名】明細書
【補正対象項目名】０００８
【補正方法】変更
【補正の内容】
【０００８】
この特徴において、前記光量測定部は、前記プロジェクションディスプレイが黒の映像を表示しているときに前記光センサーにて光量を測定し、外光量として前記メモリに保存し、前記劣化率演算部は、前記外光量を測定された光量から差し引いた値を実光量とし、当該実光量と平均ＲＧＢ信号値との関係から算出したＲＧＢ各々の光量と、前記初期調整値記憶部に記憶されている初期調整時のＲＧＢ光量とを比較して劣化率を算出してもよい。
【手続補正６】
【補正対象書類名】明細書
【補正対象項目名】０００９
【補正方法】変更
【補正の内容】
【０００９】
上記のプロジェクションディスプレイにおいて、電源投入時または映像切替え時に黒の映像を投影し、前記光センサーにて前記外光量を測定してもよい。
【手続補正７】
【補正対象書類名】明細書
【補正対象項目名】００１０
【補正方法】変更
【補正の内容】
【００１０】
また、上記のプロジェクションディスプレイにおいて、前記外光量に基づいて前記プロジェクションディスプレイ周辺の明るさを推定し、前記光源制御部に対して周辺の明暗に合わせた補正量を指令する明暗補正量算出部をさらに備えてもよい。
【手続補正８】
【補正対象書類名】明細書
【補正対象項目名】００１１
【補正方法】変更
【補正の内容】
【００１１】
さらに、上記のプロジェクションディスプレイにおいて、前記劣化率演算部は、前記ＲＧＢ光源それぞれの光源制御量を考慮した劣化率を算出してもよい。
【手続補正９】
【補正対象書類名】明細書
【補正対象項目名】００１２
【補正方法】変更
【補正の内容】
【００１２】
また、他の態様のプロジェクションディスプレイとしては、劣化率演算部は、メモリに保存された光量から任意の外光量を差し引いた光量とＲＧＢ信号値との関係から外光量を含まない光量とＲＧＢ信号との関係式を導出し、導出した関係式からＲＧＢ各々の光量を求め、求めたＲＧＢ各々の光量と初期調整値記憶部に記憶されている初期調整時のＲＧＢ光量とを比較して劣化率を算出してもよい。
【手続補正１０】
【補正対象書類名】明細書
【補正対象項目名】００１３
【補正方法】変更
【補正の内容】
【００１３】
本発明のプロジェクションディスプレイによれば、周辺光量比やスクリーンむらを考慮したホワイトバランスの経時変化の補正を常に正しく行える。